(57)【要約】【課題】後部シートに着座した乗員に対して画像を見せることができるプロジェクタ付き車両用シートを提供する。【解決手段】前部シート１１は、乗員が着座する座部２３と、座部２３に取り付けられた背もたれ部２４と、プロジェクタ２６とを備えている。プロジェクタ２６は、背もたれ部２４の背面２４ａに画像を投影可能な位置に配置されている。【選択図】図２
2020185043.tif 000002
【特許請求の範囲】
【請求項１】
乗員が着座する座部と、前記座部に取り付けられた背もたれ部と、プロジェクタとを備えたプロジェクタ付き車両用シートであって、
前記プロジェクタは、前記背もたれ部の背面に画像を投影可能な位置に配置されていることを特徴とするプロジェクタ付き車両用シート。
【請求項２】
前記背もたれ部に取り付けられたヘッドレストをさらに備え、
前記プロジェクタは、前記ヘッドレストに内蔵され、前記背もたれ部の背面に対して画像を投影することを特徴とする請求項１に記載のプロジェクタ付き車両用シート。
【請求項３】
前記プロジェクタは、前記背もたれ部に内蔵され、前記背もたれ部の背面に対して画像を投影することを特徴とする請求項１に記載のプロジェクタ付き車両用シート。
【請求項４】
前記プロジェクタは、前記座部に内蔵され、前記背もたれ部の背面に対して画像を投影することを特徴とする請求項１に記載のプロジェクタ付き車両用シート。
【請求項５】
乗員が着座する座部と、前記座部に取り付けられた背もたれ部と、前記座部上に配置可能なアームレストと、プロジェクタとを備えたプロジェクタ付き車両用シートであって、
前記プロジェクタは、前記アームレストに内蔵され、前記アームレストを前記座部上に配置した場合に当該プロジェクタの前方に位置する他の車両用シートの背もたれ部の背面に画像を投影することを特徴とするプロジェクタ付き車両用シート。
【発明の詳細な説明】
【技術分野】
【０００１】
本発明は、プロジェクタ付き車両用シートに関する。
【背景技術】
【０００２】
従来、車室内のインストルメントパネルに設けられた投影面に画像を投影するプロジェクタ本体（プロジェクタ）を備えた表示装置として、例えば特許文献１に示すものが知られている。こうした表示装置では、プロジェクタ本体がインストルメントパネルにおける投影面の近接位置に配置され、プロジェクタ本体から出射される投影光を２つのミラーを介して投影面に照射して画像を表示する構成になっている。
【先行技術文献】
【特許文献】
【０００３】
【特許文献１】特開２０１８−７５８５８号公報
【発明の概要】
【発明が解決しようとする課題】
【０００４】
ところで、上述のような表示装置では、プロジェクタ本体によって画像が投影される投影面が車室内の前端部に位置するインストルメントパネルに配置されている。このため、後部シートに着座した乗員にとっては、前部シートが邪魔になって投影面に投影された画像を見ることが困難であるという問題がある。
【０００５】
本発明は、このような従来技術に存在する問題点に着目してなされた。その目的は、後部シートに着座した乗員に対して画像を見せることができるプロジェクタ付き車両用シートを提供することにある。
【課題を解決するための手段】
【０００６】
以下、上記課題を解決するための手段及びその作用効果について記載する。
上記課題を解決するプロジェクタ付き車両用シートは、乗員が着座する座部と、前記座部に取り付けられた背もたれ部と、プロジェクタとを備えたプロジェクタ付き車両用シートであって、前記プロジェクタは、前記背もたれ部の背面に画像を投影可能な位置に配置されていることを要旨とする。
【０００７】
この構成によれば、プロジェクタ付き車両用シートが後部シートの前方に配置された前部シートである場合に、プロジェクタによって前部シートの背もたれ部の背面に画像を投影することで、後部シートに着座した乗員に対して画像を見せることができる。
【０００８】
上記課題を解決するプロジェクタ付き車両用シートは、乗員が着座する座部と、前記座部に取り付けられた背もたれ部と、前記座部上に配置可能なアームレストと、プロジェクタとを備えたプロジェクタ付き車両用シートであって、前記プロジェクタは、前記アームレストに内蔵され、前記アームレストを前記座部上に配置した場合に当該プロジェクタの前方に位置する他の車両用シートの背もたれ部の背面に画像を投影することを要旨とする。
【０００９】
この構成によれば、プロジェクタ付き車両用シートが後部シートである場合に、プロジェクタによって後部シートの前方に配置された前部シートの背もたれ部の背面に画像を投影することで、後部シートに着座した乗員に対して画像を見せることができる。
【図面の簡単な説明】
【００１０】
【図１】第１実施形態における前部シート及び後部シートが配置された車室内の斜視図。
【図２】図１の前部シートの側面模式図。
【図３】第２実施形態における後部シートの模式斜視図。
【図４】図３の後部シートのプロジェクタの使用状態を示す模式斜視図。
【図５】変更例の前部シートの側面模式図。
【図６】別の変更例の前部シートの側面模式図。
【発明を実施するための形態】
【００１１】
（第１実施形態）
以下、プロジェクタ付き車両用シートの第１実施形態を図面に従って説明する。
図１に示すように、自動車の車室内には、前部シート１１と、前部シート１１の後方に配置された後部シート１２とが配置されている。前部シート１１は、右側に配置された運転席１３と、左側に配置された助手席１４とによって構成されている。運転席１３と助手席１４とは、車幅方向に互いに間隔を置いて対をなすように並んで配置されている。
【００１２】
後部シート１２は、運転席１３の後側に位置する右後部座席１５と、助手席１４の後側に位置する左後部座席１６と、右後部座席１５と左後部座席１６との間に位置する中央後部座席１７とによって構成されている。右後部座席１５、左後部座席１６、及び中央後部座席１７は、車幅方向に隣接して並んで配置されている。後部シート１２を構成する右後部座席１５、左後部座席１６、及び中央後部座席１７は、乗員が着座する座部１８と、座部１８の後端部に取り付けられた背もたれ部１９と、背もたれ部１９の上端部に取り付けられたヘッドレスト２０とをそれぞれ備えている。
【００１３】
中央後部座席１７の背もたれ部１９の前面には、上下方向に長い矩形状の収容凹部２１が形成されている。収容凹部２１内には、直方体状のアームレスト２２が収容されている。アームレスト２２は、収容凹部２１に収容される収容位置（図１に示す位置）と、中央後部座席１７の座部１８上に配置される使用位置（図３に示す位置）との間で回動可能に中央後部座席１７の背もたれ部１９に取り付けられている。アームレスト２２は、収容位置にある場合に前面が中央後部座席１７の背もたれ部１９の前面と略面一になるように大きさが設定されている。
【００１４】
図２に示すように、前部シート１１を構成する運転席１３及び助手席１４は、座部２３と、座部２３の後端部に取り付けられた背もたれ部２４と、背もたれ部２４の上端部に取り付けられたヘッドレスト２５とをそれぞれ備えている。背もたれ部２４は、座部２３に対する角度が変更できるように（リクライニング可能に）座部２３に取り付けられている。ヘッドレスト２５は、背もたれ部２４に対して着脱自在で且つ高さ調節が可能に取り付けられている。
【００１５】
ヘッドレスト２５は、後斜め上方に向かって延び、先端部２５ａが下方に垂れ下がるように湾曲している。ヘッドレスト２５の先端部２５ａの高さは、背もたれ部２４の上端の高さよりも高くなっている。ヘッドレスト２５の先端部２５ａには、プロジェクタ２６が内蔵されている。プロジェクタ２６は、画像の投影光を照射するレンズ２６ａが背もたれ部２４の背面２４ａを向き、且つレンズ２６ａのみがヘッドレスト２５から露出するように配置されている。
【００１６】
この場合、プロジェクタ２６は、レンズ２６ａから背もたれ部２４の背面２４ａに対して斜めの方向から画像の投影光を照射することによって背もたれ部２４の背面２４ａに画像を投影するが、斜めに投影することによる画像の歪みを補正する機能を有している。すなわち、プロジェクタ２６は、レンズ２６ａから背もたれ部２４の背面２４ａに対して斜めの方向から画像の投影光を照射しても、レンズ２６ａから背もたれ部２４の背面２４ａに対して正面（垂直の方向）から画像の投影光を照射する場合と同等の画像を背もたれ部２４の背面２４ａに投影することができるようになっている。つまり、前部シート１１のプロジェクタ２６は、前部シート１１の背もたれ部２４の背面２４ａに画像を投影可能な位置に配置されている。
【００１７】
プロジェクタ２６は、スマートフォンやパーソナルコンピュータなどの外部の通信機器と通信することによって画像などのデータを内部のメモリに取り込むことができるように構成されている。また、プロジェクタ２６は、車室内における運転席１３の近傍位置に設けられた操作部（図示略）や乗員が持つスマートフォンなどによって操作が可能になっている。なお、本実施形態では、前部シート１１によってプロジェクタ付き車両用シートが構成されている。
【００１８】
次に、前部シート１１の作用について説明する。
さて、前部シート１１の２つのプロジェクタ２６を使用する場合には、後部シート１２に乗員が着座した後に当該乗員がスマートフォンによって前部シート１１の２つのヘッドレスト２５にそれぞれ内蔵されたプロジェクタ２６を操作する。この場合、乗員のスマートフォンには、予め各プロジェクタ２６を操作するためのアプリケーションソフトウエアがインストールされている。すると、各プロジェクタ２６のレンズ２６ａから前部シート１１の背もたれ部２４の背面２４ａに対して斜め上方から画像の投影光が照射される。すると、前部シート１１の背もたれ部２４の背面２４ａに画像が投影されるので、当該画像を後部シート１２に着座した乗員に好適に見せることができる。
【００１９】
この場合、各プロジェクタ２６のレンズ２６ａから前部シート１１の背もたれ部２４の背面２４ａに対して斜め上方から画像の投影光が照射されるため、通常は背面２４ａに投影された画像が歪んでしまうが、本実施形態の各プロジェクタ２６はこうした画像の歪みを補正する機能を有しているため、背面２４ａには歪みがほとんどない画像が投影される。
【００２０】
以上詳述した第１実施形態によれば、次のような効果が発揮される。
（１−１）前部シート１１において、各プロジェクタ２６は、背もたれ部２４の背面２４ａに画像を投影可能な位置に配置されている。この構成によれば、各プロジェクタ２６によって前部シート１１の背もたれ部２４の背面２４ａに画像を投影することで、後部シート１２に着座した乗員に対して画像を好適に見せることができる。
【００２１】
（１−２）前部シート１１において、各プロジェクタ２６は、ヘッドレスト２５の先端部２５ａに内蔵され、背もたれ部２４の背面２４ａに対して画像を投影する。この構成によれば、各プロジェクタ２６がヘッドレスト２５の先端部２５ａに内蔵されているので、背もたれ部２４の背面２４ａから各プロジェクタ２６までの距離を稼ぐことができる。このため、各プロジェクタ２６によって背もたれ部２４の背面２４ａに対してより大きい画像を投影することができる。
【００２２】
（第２実施形態）
次に、プロジェクタ付き車両用シートの第２実施形態を図面に従って説明する。
この第２実施形態は、プロジェクタ付き車両用シートを前部シート１１ではなく後部シート１２によって構成していること以外は、上記第１実施形態と同じであるため、上記第１実施形態と異なる点のみを説明し、第１実施形態と重複する説明は省略する。
【００２３】
図３及び図４に示すように、プロジェクタ付き車両用シートを構成する後部シート１２における使用位置にあるときのアームレスト２２の前端部には、車幅方向に並ぶ２つのプロジェクタ２６が対をなすように内蔵されている。２つのプロジェクタ２６は、レンズ２６ａのみが使用位置にあるときのアームレスト２２の前面から露出している。
【００２４】
この場合、２つのプロジェクタ２６のうち、右側のプロジェクタ２６はレンズ２６ａが運転席１３の背もたれ部２４の背面２４ａを向くように配置され、左側のプロジェクタ２６はレンズ２６ａが助手席１４の背もたれ部２４の背面２４ａを向くように配置されている。なお、本実施形態では、後部シート１２のアームレスト２２を座部１８上に配置した場合にプロジェクタ２６の前方に位置する他の車両用シートが、前部シート１１によって構成されている。
【００２５】
次に、後部シート１２の作用について説明する。
さて、後部シート１２の２つのプロジェクタ２６を使用する場合には、まず、アームレスト２２を収容位置から使用位置に回動させる。これにより、アームレスト２２が中央後部座席１７の座部１８上に配置される。この場合、後部シート１２のうちの中央後部座席１７は乗員が着座するシートとして使用できないので、乗員は後部シート１２のうちの右後部座席１５または左後部座席１６に着座する。
【００２６】
そして、後部シート１２に着座した乗員がスマートフォンによってアームレスト２２に内蔵された各プロジェクタ２６を操作すると、図４に示すように、各プロジェクタ２６のレンズ２６ａから前部シート１１の背もたれ部２４の背面２４ａに対して画像の投影光が照射される。すると、前部シート１１の背もたれ部２４の背面２４ａに画像が投影されるので、当該画像を後部シート１２に着座した乗員に好適に見せることができる。
【００２７】
以上詳述した第２実施形態によれば、次のような効果が発揮される。
（２−１）後部シート１２において、各プロジェクタ２６は、アームレスト２２に内蔵され、アームレスト２２を座部１８上に配置する使用位置に配置した場合に、当該プロジェクタ２６の前方に位置する前部シート１１の背もたれ部２４の背面２４ａに画像を投影する。この構成によれば、後部シート１２のアームレスト２２に内蔵された各プロジェクタ２６によって後部シート１２の前方に配置された前部シート１１の背もたれ部２４の背面２４ａに画像を投影することで、後部シート１２に着座した乗員に対して好適に画像を見せることができる。
【００２８】
（変更例）
上記各実施形態は、以下のように変更して実施することができる。また、上記各実施形態及び以下の変更例は、技術的に矛盾しない範囲で互いに組み合わせて実施することができる。
【００２９】
・図５に示すように、第１実施形態において、前部シート１１の背もたれ部２４の上端部を後方に屈曲させ、背もたれ部２４における屈曲部分の先端部にプロジェクタ２６を内蔵し、当該プロジェクタ２６によって背もたれ部２４の背面２４ａにおける上端部よりも下側の領域に対して画像を投影するようにしてもよい。この構成によれば、プロジェクタ２６が背もたれ部２４に内蔵されているので、背もたれ部２４をリクライニングさせても、プロジェクタ２６と背もたれ部２４の背面２４ａにおける画像の投影面との位置関係が変わらないようにすることができる。この場合、プロジェクタ２６は、背もたれ部２４の背面２４ａに画像を投影可能な位置であれば、前部シート１１の背もたれ部２４の任意の位置に取り付けるようにしてもよい。さらにこの場合、プロジェクタ２６は、全体が露出した状態であってもよい。
【００３０】
・図６に示すように、第１実施形態において、前部シート１１における背もたれ部２４を座部２３の後端部よりも少し前側の位置に取り付け、プロジェクタ２６を座部２３における背もたれ部２４の取り付け位置よりも後側に内蔵し、当該プロジェクタ２６によって背もたれ部２４の背面２４ａに対して画像を投影するようにしてもよい。この構成によれば、プロジェクタ２６が後部シート１２に着座した乗員の目線よりもかなり低い位置に配置されるので、当該乗員に対してプロジェクタ２６を目立たなくすることができる。このため、プロジェクタ２６による意匠性の低下を抑制できる。この場合、プロジェクタ２６は、背もたれ部２４の背面２４ａに画像を投影可能な位置であれば、前部シート１１の座部２３の任意の位置に取り付けるようにしてもよい。さらにこの場合、プロジェクタ２６は、全体が露出した状態であってもよい。
【００３１】
・第１実施形態において、プロジェクタ２６は、背もたれ部２４の背面２４ａに画像を投影可能な位置であれば、前部シート１１のヘッドレスト２５の任意の位置に取り付けるようにしてもよい。この場合、プロジェクタ２６は、全体が露出した状態であってもよい。
【００３２】
・第１実施形態において、プロジェクタ付き車両用シートは、運転席１３及び助手席１４のうちのいずれか一方のみによって構成されてもよい。すなわち、運転席１３及び助手席１４のうちのいずれか一方のプロジェクタ２６は、省略してもよい。
【００３３】
・第２実施形態において、アームレスト２２に内蔵された２つのプロジェクタ２６のうちいずれか一方を省略してもよい。この場合、２つのプロジェクタ２６のうち省略しない残りの１つのプロジェクタ２６は、レンズ２６ａが運転席１３の背もたれ部２４の背面２４ａに向く位置と、レンズ２６ａが助手席１４の背もたれ部２４の背面２４ａに向く位置との間で回動できるように構成してもよい。
【符号の説明】
【００３４】
１１…プロジェクタ付き車両用シート及び他の車両用シートを構成する前部シート、１２…プロジェクタ付き車両用シートを構成する後部シート、１８，２３…座部、１９，２４…背もたれ部、２２…アームレスト、２４ａ…背面、２５…ヘッドレスト、２６…プロジェクタ。
【図１】
2020185043.tif 000003
【図２】
2020185043.tif 000004
【図３】
2020185043.tif 000005
【図４】
2020185043.tif 000006
【図５】
2020185043.tif 000007
【図６】
2020185043.tif 000008